(57)【要約】  【課題】電気機器の使用にあたって省エネルギー化への注意喚起を施すために、遠くからでもその電気の使用状況が一見して把握でき、また、視覚的な把握だけでなく、体感できるようにした電気使用状況表示装置の提供。  【解決手段】本発明の電気使用状況表示装置（１）は、通電状態か否かを検出する通電状態検出部（２、３）と、通電状態での負荷への通電量を検出する通電量検出部（２）と、前記通電状態検出部（２、３）において通電状態であると検出されたときに発光する通電発光部（４）と、前記通電量検出部（２）において検出された負荷への通電量に応じて回転数が変化するモータ部（５）と、前記通電発光部（４）からの光路上に配設されて前記モータ部（５）で回転するプロペラ（52）を備えている。【選択図】      図１
2005069958.tif 000002
【特許請求の範囲】
【請求項１】
通電状態か否かを検出する通電状態検出部と、
通電状態での負荷への通電量を検出する通電量検出部と、
前記通電状態検出部において通電状態であると検出されたときに発光する通電発光部と、
前記通電量検出部において検出された負荷への通電量に応じて回転数が変化するモータ部と、
前記通電発光部からの光路上に配設されて前記モータ部で回転する回転体と
から構成したことを特徴とする電気使用状況表示装置。
【請求項２】
前記回転体は、回転することによって前記通電発光部からの光の透過もしくは反射を変化させるように構成されていることを特徴とする請求項１に記載の電気使用状況表示装置。
【請求項３】
前記回転体は、回転することによって前記通電発光部からの光の透過もしくは反射を変化させるとともに、空気流を発生するプロペラとしたことを特徴とする請求項１に記載の電気使用状況表示装置。
【請求項４】
前記通電状態検出部及び前記通電量検出部は、負荷への供給線を１次側巻線とし２次側巻線から通電状態に応じた出力電圧を得るように構成されたトランスによって構成するとともに、
前記電気使用状況表示装置の動作に必要な電源を前記出力電圧から得る電源部を備えたことを特徴とする請求項１乃至３の何れか１項に記載の電気使用状況表示装置。
【発明の詳細な説明】
【技術分野】
【０００１】
本発明は、一般家庭や事業所等で使用されている各種電気機器の使用状況を容易に確認できるようにした表示装置に関するものであって、特に、その時の電気使用状況が離れた位置からでも一見して把握できる装置に関するものである。
【背景技術】
【０００２】
従来、上述したような電気の使用状況を表示することによって、電気使用に関する省エネルギー意識を喚起するための装置としては、例えば、特開平11-183533号公報、特開2000-147014号公報、特開2000-241465号公報、特開2001-4665号公報に記載されたものがある。これらの装置の場合には、表示部分に電気の使用量、使用時刻、及び換算された電気料金等の数値を表示させるようにしたものである。そのため、表示部の近くに来て、その数値を読み取ることでやっと、省エネルギーへの注意喚起となる。従って、従来の装置では、表示部を見て数値を読み取るという動作がなければ、なんら省エネルギーへの注意喚起効果は期待できるものではないという問題があった。
【０００３】
【特許文献１】特開平11-183533号公報
【特許文献２】特開2000-147014号公報
【特許文献３】特開2000-241465号公報
【特許文献４】特開2001-4665号公報
【発明の開示】
【発明が解決しようとする課題】
【０００４】
本発明は、以上のような従来の問題点を解決するべく発明されたものであって、遠くからでもその電気の使用状況が一見して把握でき、また、視覚的な把握だけでなく、体感できるようにすることにより、より一層、省エネルギー化への注意喚起を施すようにした装置を提供することを目的としたものである。
【課題を解決するための手段】
【０００５】
本発明にかかる請求項１の電気使用状況表示装置においては、
通電状態か否かを検出する通電状態検出部と、
通電状態での負荷への通電量を検出する通電量検出部と、
前記通電状態検出部において通電状態であると検出されたときに発光する通電発光部と、
前記通電量検出部において検出された負荷への通電量に応じて回転数が変化するモータ部と、
前記通電発光部からの光路上に配設されて前記モータ部で回転する回転体と
から構成するという手段を講じた。
【０００６】
また、請求項２の電気使用状況表示装置では、前記回転体は、回転することによって前記通電発光部からの光の透過もしくは反射を変化させるように構成した。
また、請求項３の電気使用状況表示装置では、前記回転体は、回転することによって前記通電発光部からの光の透過もしくは反射を変化させるとともに、空気流を発生するプロペラとした。
また、請求項４の電気使用状況表示装置では、前記通電状態検出部及び前記通電量検出部は、負荷への供給線を１次側巻線とし２次側巻線から通電状態に応じた出力電圧を得るように構成されたトランスによって構成し、当該電気使用状況表示装置の動作に必要な電源を、前記出力電圧から得る電源部を備えた。
【発明の効果】
【０００７】
本発明の電気使用状況表示装置では、回転体が、通電発光部の光路上に配設されているので、前記回転体が回転することによって、光の透過もしくは反射の程度が変化する。従って、光路上の延長線方向から回転体を見ると、あたかも通電発光部からの光が点滅しているかのように見える。
そして、前記回転体の回転速度は負荷への通電量に応じて変化するので、点滅の間隔は通電量に応じて変化する。従って、従来のように表示された数値を読み取らなくても、点滅間隔を見るだけで通電量の程度を視覚的に把握することができる。さらに、回転体の回転数の変化によって回転音の変化を聴覚的にも把握できるので、点滅間隔を見なくても、通電量の変化を把握できる。さらに、回転体をプロペラとすることで、その回転数の変化によって風量の変化を体感できるので、点滅間隔を見なくても、通電量の変化を把握できる。
このように、従来のように表示された数値を読み取らなくても、光の点滅の変化を視覚的に認識することや、モータ部の回転音の変化を聴覚的に認識することや、プロペラで発生する空気流の変化を皮膚等で体感することで、通電状態と通電量の程度を認識することができる。
【０００８】
なお、通電状態でない場合には通電発光部は発光しないので、通電発光部からの光の有無を見るだけで、通電状態であるか否かを把握することができる。
このように、本発明によれば、表示部の数値等を読み取る必要はなく、単に通電発光部からの光を離れた位置から見るだけで、負荷への通電状態と通電量を把握することができる。また、点滅間隔を見なくても、通電量の変化を体感して把握することができる。従って、視覚障害者においても通電状態と通電量を把握することができる。
従って、遠くからでもその電気の使用状況が一見して把握でき、また、視覚的な把握だけでなく、体感できるようにすることにより、より一層、省エネルギー化への注意喚起を施すことができるのである。
【発明を実施するための最良の形態】
【０００９】
以下に、本発明にかかる電気使用状況表示装置を、その実施の形態を示した図面に基づいて詳細に説明する。
図１において、
１は電気使用状況表示装置であり、２は電源部、３は定電圧化回路、４は通電状態を表示する発光ダイオード、５は通電量に応じて回転する直流モータである。
前記電源部２は通電状態を検出するためのトランス20を備えており、このトランス20の１次側巻線21は、ＡＣ100ボルトの商用電源が供給されている入力部11と、負荷を接続するための負荷コンセント12との間の片側の電源供給線13に接続されている。
前記トランス20の２次側巻線22は、逆相の第１の出力端子221と第２の出力端子222、及びセンタータップ223を備えている。
前記第１の出力端子221と前記センタータップ223間に出力される交流出力電圧はコンデンサＣ１と２つのダイオードＤ11、Ｄ12によって倍電圧整流されてコンデンサＣ３の両端に供給され、前記第２の出力端子222と前記センタータップ223間に出力される交流出力電圧はコンデンサＣ２と２つのダイオードＤ21、Ｄ22によって倍電圧整流されて前記コンデンサＣ３の両端に供給されている。このようにセンタータップを用いて２つの倍電圧整流回路を構成したので、より高い電圧を取り出すことができる。
【００１０】
前記定電圧化回路３は、ツェナーダイオードＤ31、トランジスタ32等を用いた一般的な定電圧化回路の構成を備えており、出力コンデンサＣ４の両端に安定化した直流電圧を出力するように構成されている。
前記発光ダイオード４には前記出力コンデンサＣ４の両端の直流電圧が印加されるように構成されている。
前記直流モータ５には前記コンデンサＣ３の両端の直流電圧が印加されるように構成されている。この直流モータ５の回転軸51にはプロペラ52が取り付けられており、前記回転軸51の近傍に前記発光ダイオード４が配設されている。
【００１１】
前記発光ダイオード４の配設された位置は、前記プロペラ52の回転翼の先端部と軸部との間に設定することにより、連続点灯している発光ダイオード４の光路が、回転するプロペラ52によって断続的に遮断されて、あたかも点滅しているかのように見えるように構成されている。
【００１２】
以上のように構成したので、負荷が通電状態になると前記発光ダイオード４が点灯し、通電量に応じてプロペラ52の回転数が変化する。
従って、通電量に応じてプロペラの回転によって発生する空気流が変化するので、特に、前記発光ダイオード４を見ていなくても、発生する空気流を体感することによって通電状態であることと、通電量の程度を把握することができる。
さらに、前記電気使用状況表示装置１の動作に必要な電源は、前記トランス２の２次側巻線から得るが、この巻線は１次側巻線とは絶縁されており感電のおそれが少なくなる。
また、前記電源部２もしくは前記定電圧化回路３からの出力電圧で、２次電池を充電するように構成してもよい。
【００１３】
なお、前記電源部２と定電圧化回路３は、特許請求の範囲に記載された通電状態検出部に対応し、前記電源部２は、特許請求の範囲に記載された通電量検出部に対応し、前記発光ダイオード４は特許請求の範囲に記載された通電発光部に対応し、前記直流モータ５は特許請求の範囲に記載されたモータ部に対応し、前記プロペラ52は特許請求の範囲に記載された回転体に対応する構成である。
【００１４】
また、前記プロペラ52は、回転することによって前記発光ダイオード４からの光の透過を変化させるように構成したが、前記プロペラ52の少なくとも一部を光反射体で構成し、前記発光ダイオード４からの光が、回転する前記光反射体で断続的に反射されるように構成することによって、反射光が目に入るように構成してもよい。
また、前記プロペラ52に代えて、光の透過を断続的に変化させるスリットや不透明部分や着色部を設けた回転体を用いてもよい。また、前記プロペラ52に代えて、光の反射を断続的に変化させる光反射体を備えた回転体を用いてもよい。
【実施例１】
【００１５】
前記電源部２は例えば次のような構成とした。
トランス20の１次側巻線21の巻線の太さは直径1.8mm、巻き数は７回とした。このとき、1000Ｗの負荷に通電した場合の１次側巻線21による電圧降下は約0.6Ｖであったので、１次側巻線の抵抗値は約0.06Ω（＝0.6（Ｖ）／10（Ａ））と非常に小さい抵抗値となっており、負荷への影響はほとんど無い。このとき、トランス20の２次側巻線22からは170mAの電流が得られた。
前記トランス20の１次側巻線21には交流であれば100Ｖでも200Ｖでも構わないことは当然である。
そして、実際の電気使用状況表示装置１は、図２に示したように、筐体10内に電源部２と定電圧化回路３と直流モータ５とプロペラ52とを配設し、特に発光ダイオード４は前記プロペラ52の背部に配設した。そして、筐体10の前面には負荷を接続するためのコンセント12を備えた。
前記コンセント12に接続する負荷としては、半田コテや種々の測定器を接続することによって、それらの負荷の機器を使い終わった後に、スイッチの切り忘れや電源プラグの引抜き忘れを防止できるようになった。そのことによって、省エネルギー化への注意喚起を施すことができるようになった。
【図面の簡単な説明】
【００１６】
【図１】本発明にかかる電気使用状況表示装置の実施の形態の構成例の回路図である。
【図２】本発明にかかる電気使用状況表示装置の一例の外観図である。
【符号の説明】
【００１７】
１    電気使用状況表示装置
２    電源部、通電状態検出部、通電量検出部
20    トランス
21    １次側巻線
22    ２次側巻線
３    定電圧化回路、通電状態検出部
４    発光ダイオード、通電発光部
５    直流モータ、モータ部
52    プロペラ、回転体
【図１】
2005069958.tif 000003
【図２】
2005069958.tif 000004